(57)【要約】【課題】稼動中の設備において電気配線工事をするために時間がかかるという問題を解決して、シーケンサを迅速に交換する方法及び迅速なシーケンサの交換に使用する端子アダプタ及び端子アダプタセットを提供する。【解決手段】古いシーケンサを備えつけて使用中である制御盤を設けた場所において、ベースプレートを残したまま古いシーケンサを取り外し、該シーケンサ本体から配線を生かしたまま入出力端子台を取り外す工程と、該古いシーケンサから取り外した配線を生かしたままの入出力端子台に接続可能である複数の端子アダプタと、該複数の端子アダプタに新しいシーケンサの入出力端子台を配線を介して接続して工事用ユニットを製造する工程と、該工事用ユニットと新しいシーケンサを前記ベースプレートに取り付ける工程とを含む。【選択図】  図２
2007172371.tif 000002
【特許請求の範囲】
【請求項１】
シーケンサ本体と、該シーケンサ本体から着脱可能な入出力端子台とを備えた古いシーケンサを新しいシーケンサに交換する方法であって、
前記古いシーケンサを備えつけて使用中である制御盤を設けた場所において、ベースプレートを残したまま古いシーケンサを取り外し、該シーケンサ本体から配線を生かしたまま入出力端子台を取り外す工程と、
該古いシーケンサから取り外した配線を生かしたままの入出力端子台に接続可能である複数の端子アダプタと、該複数の端子アダプタに新しいシーケンサの入出力端子台を配線を介して接続して工事用ユニットを製造する工程と、
該工事用ユニットと新しいシーケンサを前記ベースプレートに取り付ける工程と、
を含むことを特徴とするシーケンサの交換方法。
【請求項２】
前記使用中である制御盤が鋳造プラント、砂処理ラインプラント、造型ラインプラントに設置されていることを特徴とする請求項１に記載のシーケンサの交換方法。
【請求項３】
古いシーケンサを新しいシーケンサに交換するために用いる端子アダプタであって、該古いシーケンサから取り外した配線を生かしたままの入出力端子台の接触端子に接続可能である複数の接触端子を一方の端面に有し、他方の端面に新しいシーケンサの入出力端子台からの配線を接続する複数の接続端子を有するプリント基板であることを特徴とする端子アダプタ。
【請求項４】
古いシーケンサを新しいシーケンサに交換するために用いる端子アダプタセットであって、１つのベースフレームに複数個の端子アダプタが取り付けられていることを特徴とする端子アダプタセット。
【発明の詳細な説明】
【技術分野】
【０００１】
本発明は、制御盤のシーケンサの交換方法、端子アダプタ及び端子アダプタセットに関する。より詳しくは、本発明は、例えば、制御盤内の古くなったシーケンサを新しいシーケンサに迅速に交換する方法と、その際に用いる端子アダプタ及び端子アダプタセットに関する。
【背景技術】
【０００２】
従来、設備制御のためにシーケンサが用いられることは公知である（例えば、特許文献1参照）。そのシーケンサは、シーケンサの老朽化、故障、性能向上のための新しいシーケンサに交換される場合がある。
しかし、シーケンサを交換する場合は次のような問題があった。まず、古いシーケンサから配線を抜いて新しいシーケンサに付け替える必要がある。このため、配線ミスを生じやすくそのチェックに膨大な時間がかかっていた。また、配線ミスが生じた場合にはその調査に時間と労力がかかっていた。とりわけ、鋳造プラント、砂処理ラインプラント、造型ラインプラント等の大型の設備では配線の数が数百から数千になるのでシーケンサの交換作業には時間がかかる一方、生産稼動中の設備は長時間止めることはできないので交換工事にかけられる時間は限られていた。
したがって、シーケンサの交換は工場の休業日や定期点検時など設備が停止する時に実施していた。このため、交換工事が集中し、電気工事担当者に多大な負担を強いてきた。さらに電気工事には専門知識が必要なためマンパワーは限られており対応できる案件数が限られることになり、シーケンサ交換の要望が集中する場合には対応ができない場合もあった。
【０００３】
【特許文献１】特許３３３９６７４号公報
【発明の開示】
【発明が解決しようとする課題】
【０００４】
本発明は、上記の問題を解決するためになされたものであり、稼動中の設備において電気配線工事をするために時間がかかるという問題を解決して、シーケンサを迅速に交換する方法を提供することを目的とする。
また、本発明は、迅速なシーケンサの交換に使用する端子アダプタ及び端子アダプタセットを提供することを目的とする。
【課題を解決するための手段】
【０００５】
上記の目的を達成するために本発明におけるシーケンサの交換方法は、シーケンサ本体と、該シーケンサ本体から着脱可能な入出力端子台とを備えた古いシーケンサを新しいシーケンサに交換する方法であって、前記古いシーケンサを備えつけて使用中である制御盤を設けた場所において、ベースプレートを残したまま古いシーケンサを取り外し、該シーケンサ本体から配線を生かしたまま入出力端子台を取り外す工程と、該古いシーケンサから取り外した配線を生かしたままの入出力端子台に接続可能である複数の端子アダプタと、該複数の端子アダプタに新しいシーケンサの入出力端子台を配線を介して接続して工事用ユニットを製造する工程と、該工事用ユニットと新しいシーケンサを前記ベースプレートに取り付ける工程と、を含むことを特徴とする。
【０００６】
また、上記の目的を達成するために本発明における端子アダプタは、古いシーケンサを新しいシーケンサに交換するために用いる端子アダプタであって、該古いシーケンサから取り外した配線を生かしたままの入出力端子台の接触端子に接続可能である複数の接触端子を一方の端面に有し、他方の端面に新しいシーケンサの入出力端子台からの配線を接続する複数の接続端子を有するプリント基板であることを特徴とする。
【０００７】
さらに、上記の目的を達成するために本発明における端子アダプタセットは、古いシーケンサを新しいシーケンサに交換するために用いる端子アダプタセットであって、１つのベースフレームに複数個の端子アダプタが取り付けられていることを特徴とする。
【発明の効果】
【０００８】
本発明によれば、古いシーケンサを備えつけて使用中である制御盤を設けた設備が設置されて、実際に電気工事を行う場所（現地）では工事用ユニットを組み込み、その工事ユニットに古いシーケンサから取り外した配線を生かしたままの入出力端子台を取り付けるだけで済むので迅速なシーケンサの交換が可能になるという利点がある。
【０００９】
また、本発明に係るシーケンサの交換方法は、古いシーケンサを備えつけて使用中である制御盤を設けた場所において、ベースプレートを残したまま古いシーケンサを取り外し、シーケンサ本体から配線を生かしたまま入出力端子台を取り外す工程と、該古いシーケンサから取り外した配線を生かしたままの入出力端子台に接続可能である複数の端子アダプタと、該複数の端子アダプタに新しいシーケンサの入出力端子台を配線を介して接続して工事用ユニットを製造する工程と、該工事用ユニットと新しいシーケンサを前記ベースプレートに取り付ける工程と、を含む。したがって、古いシーケンサから取り外した配線を生かしたまま入出力端子台を取り外し、新しいシーケンサへ移設を行うため、現場において配線ミスが発生しない。また、工事用ユニットを予め製作し、現場においてこの工事用ユニットを制御盤に組み込み、その工事ユニットに古いシーケンサから取り外した配線を生かしたままの入出力端子台を取り付けるのみで交換作業を完了できるため、交換工事を迅速に終了できるという利点がある。
さらに、本発明に係る端子アダプタは、古いシーケンサから取り外した配線を生かしたままの入出力端子台の接触端子に接続可能である複数の接触端子を一方の端面に有し、他方の端面に新しいシーケンサの入出力端子台からの配線を接続する複数の接続端子を有するプリント基板である。したがって、古いシーケンサに接続されている配線を生かしたままの入出力端子台をそのまま新しいシーケンサに接続可能な端子アダプタに移設・接続できるため、配線をはずす必要がない。さらに、配線チェックの必要はほとんどなく、簡単な動作確認のみで装置を復旧できるという利点がある。
【発明を実施するための最良の形態】
【００１０】
以下、本発明を実施するための最良の形態を説明する。本発明は、古いシーケンサを備えつけて使用中である制御盤を設けた場所において、ベースプレートを残したまま古いシーケンサを取り外し、シーケンサ本体から配線を生かしたまま入出力端子台を取り外す工程と、該古いシーケンサから取り外した配線を生かしたままの入出力端子台に接続可能である複数の端子アダプタと、該複数の端子アダプタに新しいシーケンサの入出力端子台を配線を介して接続して工事用ユニットを製造する工程と、該工事用ユニットと新しいシーケンサを前記ベースプレートに取り付ける工程とを含んでいる。
また、古いシーケンサを新しいシーケンサに交換するために用いる端子アダプタは、古いシーケンサから取り外した配線を生かしたままの入出力端子台の接触端子に接続可能である複数の接触端子を一方の端面に有し、他方の端面に新しいシーケンサの入出力端子台からの配線を接続する複数の接続端子を有するプリント基板である。
【００１１】
ここで、シーケンサとは、マイクロコンピュータを内蔵した設備の制御装置である。各種ユニットを取り付けるためのベースユニットと、該ベースユニットに取り付けられる電源ユニット、ＣＰＵユニット、入力ユニット、出力ユニット及び通信ユニット等で構成されている。設備に付随する押ボタン、切替スイッチ、近接スイッチやリミットスイッチ等の入力機器の信号を入力し、プログラミングされた条件で信号を出力し、出力ユニットを介して、設備に付随する電磁開閉器、モータ、油圧・空圧電磁弁、表示灯及びブザー等の出力機器を制御するものである。なお、このシーケンサは本発明ではシーケンサ本体を示す。
【００１２】
また、古いシーケンサとは、シーケンサの交換作業が必要な既存設備の使用中の制御盤に備えつけられているシーケンサ本体と、該シーケンサ本体から着脱可能な入出力端子台をいう。
さらに、新しいシーケンサとは、シーケンサの交換作業により古いシーケンサと置き換えられるシーケンサ本体をいう。
また、古いシーケンサを取り外すとは、シーケンサの交換作業が必要な既存設備の制御盤に備えつけられており使用中であるシーケンサ本体をベースプレートから取り外すことをいう。
本発明では、シーケンサ本体をベースプレートから取り外した後、シーケンサ本体から入出力端子台を取り外すことになっているが、先に入出力端子台をシーケンサ本体から取り外してから、シーケンサ本体をベースプレートから取り外してもよい。
さらに、ベースプレートとは、シーケンサの交換作業が必要な既存設備の制御盤の筐体に溶接等にて予め取り付けられているシーケンサ本体を取り付けるプレートである。
【００１３】
入出力端子台とは、設備・装置に付随する入力機器や出力機器からの入出力信号配線が接続される接続端子が複数設置されているものである。この入出力端子台は古いシーケンサ及び新しいシーケンサ共に取り付けられているものである。本発明においては、古いシーケンサに取り付けられている配線を生かしたままの入出力端子台を古いシーケンサの入力ユニット及び出力ユニットよりネジをゆるめて取り外すことになる。
また、端子アダプタとは、古いシーケンサを新しいシーケンサに交換するために用いるものである。古いシーケンサから取り外した配線を生かしたままの入出力端子台の接触端子に接続可能である複数の接触端子を一方の端面に有し、他方の端面に新しいシーケンサの入出力端子台からの配線を接続する複数の接続端子を有するものである。
さらに、端子アダプタセットとは、前記端子アダプタが１つのベースフレームに複数個取り付けられているもので、新しいシーケンサにはこの端子アダプタセットが接続される。
【００１４】
鋳造プラントとは鋳物製品を製造するための製造プラントをいう。一例として、砂処理ラインプラント、造型ラインプラント、注湯ラインプラント及び冷却ラインプラント等により構成されているものが挙げられる。また、別の例として、鋳造プラントはダイカスト鋳造ライン、後処理ライン等により構成されているものが挙げられる。
また、砂処理ラインプラントは、鋳物を製造するに当たり必要な造型砂の混練、解枠後の解枠砂の調整・搬送等を行うプラントをいう。
さらに、造型ラインプラントは、造型機を中心に鋳物を生産するための鋳型の造型を行うプラントをいう。
また、鋳造プラント、砂処理プラント及び造型プラント等のプラントにおいて、プラントを構成する設備が複数の制御盤により各々制御されている場合は、その各々の制御盤毎又はその各々の制御盤のみにシーケンサの交換作業を行うこともある。
【実施例】
【００１５】
以下、図１から図５に示す実施例に基づき本発明を説明する。図１はシーケンサの交換作業が必要な既存設備の制御盤内を示す図である。図２は工事用ユニットの断面を示した図である。図３は工事用ユニットの正面を示した図である。図４は端子アダプタと入出力端子台との関係を示した図である。図５は端子アダプタの右側面を示した図である。
まず、図１において、シーケンサの交換作業が必要な既存設備の制御盤１の盤内に使用中で交換作業が必要な古いシーケンサ２が取り付けられている。この古いシーケンサ２には、既存設備に付随する入力機器や出力機器からの入出力信号配線が接続される入出力端子台３，３が取り付けられている。
また、該古いシーケンサ２は、制御盤１の筐体に取り付けられたベースプレート４，４に取り付けられている。
【００１６】
図２において、工事用ユニット５は、古いシーケンサ２に取り付けられている複数の入出力端子台３，３を接続する複数の端子アダプタ６，６から構成される端子アダプタセット７と、新しいシーケンサ８と、新しいシーケンサ８を取り付けるベースフレーム９とから構成されている。
また、端子アダプタセット７は、複数の端子アダプタ６，６と、その端子アダプタ６，６を取り付けるベースフレーム１０から構成されている。
さらに、図３において、新しいシーケンサ８を取り付けたベースフレーム９は、端子アダプタセット７に接続された入出力端子台３，３の前面にかぶせるような状態で該端子アダプタ６，６が取り付けられたベースフレーム１０に取り付けられる。その取付方法はビス止め又は蝶番を用いる等、如何なる方法で行ってもよい。
また、図４において、端子アダプタ６は、古いシーケンサ２から取り外した入出力端子台３を接続するためのものである。該古いシーケンサ２から取り外した入出力端子台３の接触端子（図示せず）に接続可能である複数の接触端子１１を一方の端面に有し、他方の端面に新しいシーケンサ８の入出力端子台（図示せず）からの配線１２を接続する複数の接続端子１３を有する複数のプリント基板１４と、端子アダプタ６を取り付けるベースフレーム１０にプリント基板１４を取り付けるためのＬ字形のプレート１５から構成されている。
さらに、該古いシーケンサ２から取り外した入出力端子台３の接触端子に接続可能である複数の接触端子１１は、入出力端子台３の接触端子と同数を該プリント基板１４の両面を使用して設けられている。また、図５に示すように新しいシーケンサ８の入出力端子台からの配線１２を接続する複数の接続端子１３も、該接触端子１１と同数をプリント基板１４の両面を使用して設けられている。
また、端子アダプタ６は、ベースフレーム１０に横列に必要個数取り付けられ、該ベースフレーム１０には端子アダプタ６のプリント基板１４の接触端子１１と入出力端子台３の接触端子を接続するために孔が明けられている。
【００１７】
次に、シーケンサの交換方法を説明する。まず、古いシーケンサ２から既存の配線が接続された状態で入出力端子台３，３を取り外す。次に、該入出力端子台３，３を取り外した古いシーケンサをベースプレート４，４から取り外す。一方、予め工事用ユニット５を現地とは別の場所で製造しておく。現地とは別の場所とは、例えば製造工場のような図面を見ながら工事用ユニット５の製造のできる設備が整った場所のことである。
該工事用ユニット５の製造方法は、まず、端子アダプタセット７と新しいシーケンサ８の接続を配線１２を介して行う。さらに、新しいシーケンサ８をベースフレーム９に取り付け、該ベースフレーム９を端子アダプタセット７のベースフレーム１０に取り付ける。今回の実施例では、端子アダプタセット７と新しいシーケンサ８の接続の後、新しいシーケンサ８をベースフレーム９に取り付けたが、この製造順序は逆になってもかまわない。
次に、現地にて工事用ユニット５を制御盤１の筐体に取り付けられているベースプレート４，４に取り付ける。ここで、工事用ユニット５を制御盤１に取り付けるためのベースフレーム１０の筐体への取り付け方はビス止め、ボルト締め等如何なる方法で行ってもよい。
さらに、該工事用ユニット５の端子アダプタセット７に古いシーケンサ２から取り外した入出力端子台３，３を接続することにより、シーケンサの交換を終了する。
なお、本実施例の形態では、工事用ユニット５の製造は入出力端子台３，３を取り外した後に行っているが、工事用ユニット５は入出力端子台３，３を取り外す前等、新しいシーケンサ８をベースプレート４，４に取り付ける前に製造すればよい。
【００１８】
上記の説明から明らかなように、本発明は、予め工事用ユニット５を現地とは別の場所で製造する。この様に、別の場所で端子アダプタセット７と新しいシーケンサ８との配線が終了した工事用ユニット５を製造して現地では制御盤１に工事用ユニット５を組み込み、その工事ユニット５に古いシーケンサ２から取り外した配線を生かしたままの入出力端子台３，３を取り付けるだけで済むので迅速なシーケンサの交換が可能になるという利点がある。
さらに、古いシーケンサ２に接続されていた配線付の入出力端子台３，３をそのまま新しいシーケンサ８に接続可能な端子アダプタセット７に移設・接続できるため、配線をはずす必要がなく、したがって、配線チェックの必要はほとんどなく、簡単な動作確認のみで設備を早期に復旧できるという利点がある。
【００１９】
また、本発明において、端子アダプタに取り付けられたプリント基板には、入出力端子台の接触端子数に合った接触端子を備えている。しかし、シーケンサの入出力点数により接触端子数は一定数でなく、各シーケンサに設定された入出力点数を備えたプリント基板を取り付けた端子アダプタを製作する。又は、接触端子数の異なる複数のプリント基板を取り付けた端子アダプタを使用することで入出力点数が異なる場合にも対応することができる。
【産業上の利用可能性】
【００２０】
シーケンサはプラント設備、単体機械・装置等、広範な産業機械・設備に使用されており、本発明はこれらに適用できるものである。
【図面の簡単な説明】
【００２１】
【図１】シーケンサの交換作業が必要な既存設備の制御盤内を示す図である。
【図２】工事用ユニットの断面を示した図である。
【図３】工事用ユニットの正面を示した図である。
【図４】端子アダプタと入出力端子台との関係を示した図である。
【図５】端子アダプタの右側面を示した図である。
【符号の説明】
【００２２】
１  制御盤
２  古いシーケンサ
３  入出力端子台
４  ベースプレート
５  工事用ユニット
６  端子アダプタ
７  端子アダプタセット
８  新しいシーケンサ
９  ベースフレーム
１０  ベースフレーム
１１  接触端子
１２  配線
１３  接続端子
１４  プリント基板
１５  プレート
【図１】
2007172371.tif 000003
【図２】
2007172371.tif 000004
【図３】
2007172371.tif 000005
【図４】
2007172371.tif 000006
【図５】
2007172371.tif 000007